(57)【特許請求の範囲】
【請求項１】
取付孔を有する合成樹脂製把手の成形方法において、
金型のゲートから溶融した合成樹脂原料を前記金型内に充填し、第１のピンを金型内部方向に移動させ取付孔を成形し、さらに前記第１のピンに対して金型内部方向に移動可能に外挿された第２のピンを金型内部方向に移動させ前記ゲート近傍に残留した前記樹脂原料を金型内に押し込み前記取付孔を成形することを特徴とする合成樹脂製把手の成形方法。
【請求項２】
取付孔を有する合成樹脂製把手の成形方法において、
金型のゲートから溶融した合成樹脂原料を前記金型内に充填し、第２のピンを金型内部方向に移動させ前記ゲート近傍に残留した前記樹脂原料を金型内に押し込み、さらに前記第２のピンに対して金型内部方向に移動可能に内挿された第１のピンを金型内部方向に移動させ前記取付孔を成形することを特徴とする合成樹脂製把手の成形方法。
【請求項３】
前記合成樹脂製把手が建材用合成樹脂製把手である請求項１又は２に記載の合成樹脂製把手の成形方法。
【請求項４】
前記合成樹脂原料がメタリック樹脂である請求項１乃至３のいずれかに記載の合成樹脂製把手の成形方法。
【発明の詳細な説明】
【０００１】
【発明の属する技術分野】
本発明は、合成樹脂製把手の成形方法に関し、家屋、家具、家電製品や車両などの扉部及び引き出し部、鞄や工具箱などの運搬用容器、或いは、調理器具や食器などに使用され、特にドア、引き戸、開き戸や引き出しなどの建材等に使用される取付孔を有する合成樹脂製把手の成形方法に関する。
【０００２】
【従来の技術】
合成樹脂製把手（ハンドルやツマミ）は扉、引き出しなどに金属製のボルト又はナットで取り付けられることが多い。そのため、ネジ部を合成樹脂で成形すると、強度的に問題があるため、把手成形後、雌ネジ又は雄ネジを取り付ける取付孔を有している。（例えば、特許文献１参照）。
【０００３】
そのため、取付孔を有する合成樹脂製把手の成形方法において、取付孔を成形するピンなどの突起を金型内に設け、ゲートから該金型内に溶融した合成樹脂原料を射出して、把手を成形する方法が採られてきた。
【０００４】
【特許文献１】
登録実用新案第３０４５５０９号公報（第１ページ、要約）
【０００５】
【発明が解決しようとする課題】
かかる従来技術の合成樹脂製把手の成形方法においては、ゲートから注入される溶融した合成樹脂原料が取付孔を成形する突起により分流され、該突起を回り込んで、再び樹脂原料が合流する。しかし、合流するまでに樹脂原料の温度が低下しているので、合流した樹脂原料が十分に融合しないので、ウェルドラインと呼ばれる、再融合した跡が残る。そのため、ウェルドライン近傍では把手の機械的強度が低下するという問題点があった。
【０００６】
また、アルミ粉などの金属粉が混入され光沢を有するメタリック樹脂を原料とした場合、特に光沢にムラが生じ美観を損なうという問題点もあった。そのため、ウェルドラインが目立たないようにゲート位置を定めなければならず、ゲート設計の自由度が低下していた。さらに、成形後、ゲート近傍に残った樹脂を除去するゲートカットと呼ばれる後加工を必要としていた。
【０００７】
本発明の目的は、ウェルドラインが発生しない合成樹脂製把手の成形方法を提供し、機械的強度に優れ、美観を損なわない把手を提供することにある。
【０００８】
【課題を解決するための手段】
上記課題を解決するため、鋭意検討した結果、本発明は、取付孔を有する合成樹脂製把手の成形方法において、
金型のゲートから溶融した合成樹脂原料を前記金型内に充填し、取付孔を成形するピンを金型内部方向に移動させ前記ゲート近傍に残留した前記樹脂原料を金型内に押し込み、さらに前記ピンを金型内部方向に移動させ前記取付孔を成形することを特徴とする合成樹脂製把手の成形方法を採用した。
【０００９】
金型内に溶融した樹脂原料が充填された後、取付孔を成形するピンを金型内部方向に移動させゲート近傍に残留した樹脂原料を金型内に押し込むことによりゲートカットされる。さらに、前記ピンが金型内部方向に移動させ、取付孔を成形する。したがって、樹脂原料がピンなどの突起により分流されることがないので、取付孔近傍にウェルドラインが発生することがない。また、成形時にゲートカットされているので、成形後、後加工によりゲート近傍に残って成形された樹脂を取り除く必要がない。
【００１０】
また、取付孔を有する合成樹脂製把手の成形方法において、
金型のゲートから溶融した合成樹脂原料を前記金型内に充填し、第１のピンを金型内部方向に移動させ取付孔を成形し、さらに前記第１のピンに対して金型内部方向に移動可能に外挿された第２のピンを金型内部方向に移動させ前記ゲート近傍に残留した前記樹脂原料を金型内に押し込み前記取付孔を成形することを特徴とする合成樹脂製把手の成形方法も採用できる。
【００１１】
さらに、取付孔を有する合成樹脂製把手の成形方法において、
金型のゲートから溶融した合成樹脂原料を前記金型内に充填し、第２のピンを金型内部方向に移動させ前記ゲート近傍に残留した前記樹脂原料を金型内に押し込み、さらに前記第２のピンに対して金型内部方向に移動可能に内挿された第１のピンを金型内部方向に移動させ前記取付孔を成形することを特徴とする合成樹脂製把手の成形方法も採用できる。
【００１２】
取付孔を成形するピンを、取付孔を成形する第１のピンとゲート近傍に残留した樹脂原料を金型内に押し込み第２のピンとに分割し、当該第１のピンが当該第２のピンに内挿され、互いに制限されずに金型内部方向に移動できる構造としている。
【００１３】
そのため、先ず第１のピンを金型内部方向に移動させ取付孔を成形した後、第２のピンを金型内部方向に移動させゲート近傍に残留した樹脂原料を金型内に押し込むことにより取付孔を成形することができる。逆に、先ず第２のピンを金型内部方向に移動させゲート近傍に残留した樹脂原料を金型内に押し込んだ後、第１のピンを金型内部方向に移動させ取付孔を成形することもできる。
【００１４】
また、取付孔を成形する第１及び第２のピンを押し込む深さを変化させることができるので、ピンを交換することなく取付孔の深さの異なる成形品を成形することができる。
【００１５】
前記合成樹脂製把手が建材用合成樹脂製把手である合成樹脂製把手の成形方法も採用することができる。
【００１６】
ドア、引き戸、開き戸や引き出しなどの建材に取り付けられた場合、ドアなどの開閉時に把手に、特に取付孔近傍に機械的な負荷がかかる。本発明により成形される把手はウェルドラインがなく機械的強度に優れているので、建材用把手として好適に使用することができる。
【００１７】
前記合成樹脂原料がメタリック樹脂である合成樹脂製把手の成形方法も採用できる。
【００１８】
光沢を有するメタリック樹脂に把手が成形されることがある。メタリック樹脂は合成樹脂にアルミなどの金属粉を混入した樹脂であり、該金属粉により光沢が有する。ウェルドラインが発生した場合、光沢にムラが生じるため、美観を損なうことがある。そのため、ウェルドラインが目立たないように、ゲート位置を決定していたが、本発明の方法によれば、その必要がなくなり、ゲート設計の自由度が増す。その結果、１つの金型でより多くの製品を同時に成形することができる。
【００１９】
なお、本発明の成形方法によって成形される把手は、略コの字形状の把手（ハンドル）のほか、開き戸や引き出しなど取り付けられる略円形状などをしたツマミも含まれる。
【００２０】
【発明の実施の形態】
以下、図面を用いて、本発明に係る成形方法の実施形態を説明する。図１は本発明に係る把手及びツマミを示す概略斜視図である。図１（ａ）は把手を示す図で、略コの字形状の把手１０の両端部に取付孔１１を有している。図１（ｂ）はツマミを示す図で、ツマミ２０は略円形状の形状を有し、一端の中央に取付孔２１を有している。必要に応じて成形後取付孔１１、２１に雌ネジ又は雄ネジをインサートされた後、把手１０やツマミ２０は、ドア、引き戸、開き戸、引き出しなどに取り付けられる。
【００２１】
図２〜５は本発明に係る成形方法を示す金型の要部概略断面図で、取付孔近傍を成形する部分を示している。図では省略しているが、把手１０を成形する金型であれば、略コの字形状の空洞が連なり、他端に取付孔２１を成形する突起が設けられて金型１が閉じている。他端の取付孔は、樹脂原料３が分流することなく成形されるので、従来通り、金型１内に突起を設けた状態でよい。また、ツマミ２１を成形する金型であれば、ツマミ２１の形状に応じた空洞が連なり、金型１が閉じている。
【００２２】
図２は、溶融した樹脂原料３がゲート２を通って、金型１内部に充填された状態を示している。この状態では、ゲート２近傍に樹脂原料３が残留しており、取付孔を成形するピン４は金型１内に挿入されていない。なお、３ａは樹脂原料に混入された金属粉であり、アルミなど金属の粉体、フレークなどが使用される。
【００２３】
次に、図３に示すように、ピン４が金型１内に移動すると、ピン４によりゲート２近傍に残留した樹脂原料３が金型１内部に押し込められる。すなわち、ゲート２近傍の樹脂原料３が排除され、ゲートカットが行われる。
【００２４】
さらに、図４に示すように、ピン４が金型１内の所定の位置に移動すると、ピン４により取付孔が成形される。したがって、ピン４が樹脂原料３内に押し込まれ、取付孔が成形されるので、樹脂原料３の分流・合流が発生しない。その結果、ウェルドラインのない成形品が成形される。
【００２５】
そして、図５に示すように、冷却後金型を離型すると、取付孔１１が成形された把手１０の成形品が完成する。なお、さらにピン４を金型１内にさらに移動することにより、離型を行ってもよい。また、樹脂原料３の充填やピン４の移動は、公知の射出成形装置で行うことができる。
【００２６】
図６は、本発明に係る他の成形方法を示す金型の要部概略断面図である。図において、取付孔を成形するピン４は、取付孔を成形する第１のピン４１とゲート近傍に残留した樹脂原料を金型内に押し込み第２のピン４２とに分割され、当該第１のピン４１が第２のピン４２に内挿され、互いに制限されずに金型１内部方向に移動できる構造としている。
【００２７】
図６に示すように、金型１内に樹脂原料３が充填された後、先ず、図７に示すように、第２のピン４２が金型１内部に移動し、ゲート２近傍に残留した樹脂原料３が金型１内部に押し込められる。次に、図７に示すように、第１のピン４１を金型１内部に移動し、取付孔が成形される。図５に示したように、冷却後金型を離型すると、取付孔１１が成形された把手１０の成形品が完成する。
【００２８】
逆に、図９に示すように、先ず、第１のピン４１を金型１内部に移動し、取付孔を成形した後、第２のピン４２が金型１内部に移動し、ゲート２近傍に残留した樹脂原料３が金型１内部に押し込め、取付孔を成形してもよい。
【００２９】
なお、成形の完了を示す図８では、図５に比べてピン４の押し込みの深さが浅いが、図５と同程度に押し込むことも可能であり、取付孔を成形する第１及び第２のピン４１、４２を押し込む深さを変化させることができるので、ピン４を交換することなく取付孔の深さの異なる成形品を成形することができる。
【発明の効果】
以上の通り、本発明の成形方法は、金型のゲートから溶融した合成樹脂原料を前記金型内に充填し、取付孔を成形するピンを金型内部方向に移動させ前記ゲート近傍に残留した前記樹脂原料を金型内に押し込み、さらに前記ピンを金型内部方向に移動させ前記取付孔を成形する方法であるので、取付孔の近傍にウェルドラインのない合成樹脂製把手を成形することができ、機械的強度に優れ、美観を損なうことのない把手を提供することができる。
【図面の簡単な説明】
【図１】図１（ａ）は本発明により成形される把手を、図１（ｂ）は本発明により成形されるツマミをそれぞれ示す概略斜視図である。
【図２】本発明に係る成形方法を示す金型の要部概略断面図である。
【図３】本発明に係る成形方法を示す金型の要部概略断面図である。
【図４】本発明に係る成形方法を示す金型の要部概略断面図である。
【図５】本発明に係る成形方法を示す金型の要部概略断面図である。
【図６】本発明に係る他の成形方法を示す金型の要部概略断面図である。
【図７】本発明に係る他の成形方法を示す金型の要部概略断面図である。
【図８】本発明に係る他の成形方法を示す金型の要部概略断面図である。
【図９】本発明に係る他の成形方法を示す金型の要部概略断面図である。
【符号の説明】
１          金型
２          ゲート
３          樹脂原料
４          ピン
１０          把手
１１、２１    取付孔
２０          ツマミ
４１          第１のピン
４２          第２のピン
【図１】
0003705595.tif 000002
【図２】
0003705595.tif 000003
【図３】
0003705595.tif 000004
【図４】
0003705595.tif 000005
【図５】
0003705595.tif 000006
【図６】
0003705595.tif 000007
【図７】
0003705595.tif 000008
【図８】
0003705595.tif 000009
【図９】
0003705595.tif 000010